【手続補正書】
【提出日】平成16年6月1日(2004.6.1)
【手続補正１】
【補正対象書類名】明細書
【補正対象項目名】特許請求の範囲
【補正方法】変更
【補正の内容】
【特許請求の範囲】
【請求項１】  ホイールが取付けられている可動物体と一体のグリップ装置であって、
２つの長手方向部材を有する支持構造体と、
前記２つの長手方向部材にまたがる前記ホイールの回転軸線とほぼ平行な横部材、及び、この横部材に連結され且つハンドル形状をなすハンドル本体、を有するグリップ部分と、
互いに垂直な第１の回転軸線及び第２の回転軸線それぞれを中心とする前記ハンドル本体の一回転を可能にする第１の関節手段及び第２の関節手段と、を有することを特徴とするグリップ装置。
【請求項２】  前記第１の回転軸線は、前記ホイールの回転軸線と平行であり、前記第１の関節手段は、前記ハンドル本体が前記支持構造体の自由端から突出する第１の作動位置と、前記ハンドル本体が前記第１の作動位置に対して１８０°回され前記支持構造体の内側に折り畳まれる第２の作動位置との間の、前記支持構造体に対する前記ハンドル本体の回転を可能にする、請求項１に記載のグリップ装置。
【請求項３】  更に、前記第１の回転軸線に沿う前記支持構造体に対する前記ハンドル本体の横移動を可能にする第３の関節手段を有する、請求項２に記載のグリップ装置。
【請求項４】  前記第３の関節手段は、前記横部材に沿って前記第１の回転軸線と平行に摺動可能なスリーブを有する、請求項３に記載のグリップ装置。
【請求項５】  更に、前記第１の作動位置にある前記ハンドル本体を付勢する付勢手段を有する、請求項２に記載のグリップ装置。
【請求項６】  前記付勢手段は、少なくとも１つの摩擦ワッシャを有する、請求項５に記載のグリップ装置。
【請求項７】  更に、前記ハンドル本体が前記第２の作動位置にあるとき、前記ハンドル本体を前記支持構造体にしっかりと且つ逆向きに連結したままにするために、前記支持構造体に対する前記ハンドル本体の回転を防止するための角度方向係止手段を有する、請求項２に記載のグリップ装置。
【請求項８】  前記角度方向係止手段は、前記ハンドル本体と前記支持構造体とを連結する連結手段を有する、請求項７に記載のグリップ装置。
【請求項９】  前記ハンドル本体及び前記横部材は、それぞれの実質的に相互接触している連結面によって互いに連結され、これらの連結面に対して垂直なピンによって互いにヒンジ止めされている、請求項８に記載のグリップ装置。
【請求項１０】  前記ハンドル本体は、使用者の手を挿入するための貫通キャビティと、この貫通キャビティの両側に互いに且つ前記横部材に対して平行に配置された第１の保持部分及び第２の保持部分と、を有し、前記ピンは、前記横部材の連結面から突出し、前記ハンドル本体の第１保持部分に形成されている前記ピンに対応する着座部の内側に完全に収容される、請求項９に記載のグリップ装置。
【請求項１１】  前記支持構造体の長手方向部材は、入れ子式に延長可能であり、２本の平行なロッドを有し、これら２本のロッドは、それぞれのガイドの内側を摺動し、それぞれの端部分を有し、前記横部材は、前記それぞれの端部分を連結するために前記第１の回転軸線に沿って配置され、前記それぞれの端部分に回転式に連結される、請求項１０に記載のグリップ装置。
【請求項１２】  前記連結手段は、２つの可撓性タブを有し、これらのタブは、前記それぞれの端部分に支持され、前記ハンドル本体に形成されたそれぞれの保持用着座部とインターフェース連結をなす、請求項１１に記載のグリップ装置。
【請求項１３】  前記タブは、前記ロッドと平行に且つそれから所定距離離れて延び、所定幅の横方向ギャップが、前記ロッドと前記タブとの間に構成され、前記ハンドル本体は、前記タブ間の距離とほぼ等しい幅のものである、請求項１２に記載のグリップ装置。
【請求項１４】  一体のグリップ装置を有し、ホイールが取付けられている可動物体であって、
２つの長手方向部材を有する支持構造体と、
前記２つの長手方向部材にまたがる前記ホイールの回転軸線とほぼ平行な横部材、及び、この横部材に連結され且つハンドル形状をなすハンドル本体、を有するグリップ部分と、
互いに垂直な第１の回転軸線及び第２の回転軸線のそれぞれを中心とする前記ハンドル本体の一回転を可能にする第１の関節手段及び第２の関節手段と、を有することを特徴とする可動物体。
【請求項１５】  前記可動物体は、旅行手荷物である、請求項１４に記載の可動物体。
【請求項１６】  前記第１の回転軸線は、前記ホイールの回転軸線と平行であり、前記第１の関節手段は、前記ハンドル本体が前記支持構造体の自由端から突出する第１の作動位置と、前記ハンドル本体が前記第１の作動位置に対して１８０°回され前記支持構造体の内側に折り畳まれた第２の作動位置との間の、前記支持構造体に対する前記ハンドル本体の回転を可能にする、請求項１４に記載の可動物体。
【請求項１７】  更に、前記第１の回転軸線に沿う前記支持構造体に対する前記ハンドル本体の横移動を可能にする第３の関節手段を有する、請求項１６に記載の可動物体。
【請求項１８】  前記第３の関節手段は、前記横部材に沿って前記第１の回転軸線と平行に摺動可能なスリーブを有する、請求項１７に記載の可動物体。
【請求項１９】  更に、前記第１の作動位置にある前記ハンドル本体を付勢する付勢手段を有する、請求項１４に記載の可動物体。
【請求項２０】  前記付勢手段は、少なくとも１つの摩擦ワッシャを有する、請求項１９に記載の可動物体。
【請求項２１】  前記ハンドル本体が前記第２の作動位置にあるとき、前記ハンドル本体を前記支持構造体にしっかりと且つ逆向きに連結したままにするために、前記支持構造体に対する前記ハンドル本体の回転を防止するための角度方向係止手段を有する、請求項１６に記載の可動物体。
【請求項２２】  前記角度方向係止手段は、前記ハンドル本体と前記支持構造体とを連結する連結手段を有する、請求項２１に記載の可動物体。
【請求項２３】  前記ハンドル本体及び横部材は、それぞれの実質的に相互接触している連結面によって互いに連結され、これらの連結面に対して垂直なピンによって互いにヒンジ止めされている、請求項２２に記載の可動物体。
【請求項２４】  前記ハンドル本体は、使用者の手を挿入するための貫通キャビティと、この貫通キャビティの両側に互いに且つ前記横部材と平行に配置された第１の保持部分及び第２の保持部分と、を有し、前記ピンは、前記横部材の連結面から突出し、前記本体の第１の保持部分の中に形成された前記ピンに対応する着座部の内側に完全に収容される、請求項２３に記載の可動物体。
【請求項２５】  前記支持構造体の長手方向部材は、入れ子式に延長可能であり、２本の平行なロッドを有し、これらの２本のロッドは、それぞれのガイドの内側を摺動し、それぞれの端部分を有し、前記横部材は、前記それぞれの端部分と連結するために前記第１の回転軸線に沿って配置され、前記それぞれの端部分に回転式に連結されている、請求項２４に記載の可動物体。
【請求項２６】  前記連結手段は、２つの可撓性タブを有し、これら２つのタブは、前記それぞれの端部分によって支持され、前記ハンドル本体に形成された保持用着座部とインターフェース連結をなす歯を有する、請求項２５に記載の可動物体。
【請求項２７】  前記タブは、前記ロッドと平行に且つそれから所定距離離れて延び、所定幅の横方向ギャップが、前記ロッドと前記タブとの間に構成され、前記ハンドル本体は、前記タブ間の距離とほぼ等しい幅のものである、請求項２６に記載の可動物体。
【請求項２８】  ホイールが取付けられている可動物体と一体のグリップ装置であって、
２つの長手方向部材を有する支持構造体と、
前記２つの長手方向部材にまたがる前記ホイールの回転軸線とほぼ平行な横部材、及び、この横部材に連結され且つハンドル形状をなすハンドル本体、を有するグリップ部分と、
互いに垂直な第１の回転軸線及び第２の回転軸線のそれぞれを中心とする前記ハンドル本体の回転を可能にする第１の関節手段及び第２の関節手段と、
前記第１の回転軸線に沿う前記支持構造体に対する前記グリップ部分の横移動を可能にする第３の関節手段と、を有し、
前記第１の回転軸線は、前記ホイールの回転軸線と平行であり、前記第１の関節手段は、前記ハンドル本体が前記支持構造体の自由端から突出する第１の作動位置と、前記ハンドル本体が前記第１の作動位置に対して１８０°回され前記支持構造体の内側に折り畳まれる第２の作動位置との間の、前記支持構造体に対する前記ハンドル本体の回転を可能にすることを特徴とするグリップ装置。
【請求項２９】  前記第３の関節手段は、前記横部材に沿って前記第１の回転軸線と平行に摺動可能なスリーブを有する、請求項２８に記載のグリップ装置。
【請求項３０】  更に、前記第１の作動位置にある前記ハンドル本体を付勢する付勢手段を有する、請求項２８に記載のグリップ装置。
【請求項３１】  ホイールが取付けられている可動物体と一体のグリップ装置であって、
２つの長手方向部材を有する支持構造体と、
この支持構造体と一体であるグリップ部分と、を有し、このグリップ部分は、前記２つの長手方向部材にまたがる横部材と、この横部材に連結され且つハンドル形状をなすハンドル本体と、を有し、前記グリップ部分は、第１の作動位置にあるとき、互いに垂直な第１の軸線及び第２の軸線を中心に一回転するように構成されていることを特徴とするグリップ装置。
【請求項３２】  前記第１の回転軸線は、前記ホイールの回転軸線と平行である、請求項３１に記載のグリップ装置。
【請求項３３】  前記ハンドル本体は、更に、前記第１の作動位置にあるときに前記第１の回転軸線に沿って横移動するように構成されている、請求項３２に記載のグリップ装置。
【請求項３４】  前記ハンドル本体は、更に、前記第２の作動位置にあるときに前記支持構造体の内側に折り畳まるように構成されている、請求項３１に記載のグリップ装置。
【請求項３５】  更に、前記第１の作動位置にある前記ハンドル本体を付勢する付勢手段を有する、請求項３１に記載のグリップ装置。
【請求項３６】  前記付勢手段は、少なくとも１つの摩擦ワッシャを有する請求項３５に記載のグリップ装置。